(57)【要約】【課題】燃焼中または燃焼停止後、機器の内部が高温であったり、対流用ファンがまだ回転している場合には、使用者に機器の内部に触れさせないようにして、使用者が火傷をしてしまったり、ケガをしてしまうことのない温風暖房機の制御装置を提供する。【解決手段】バーナ２によって生じた高温ガスを温風として放出する対流用ファン４と、この対流用ファン４を覆うように設けられ、蝶番装置９等によって開閉自在に枢着されたファンガード７と、このファンガード７の開動作を阻止するロック手段１２と、機器の内部温度を検知する内部温度検知手段１１ａおよび対流用ファン４の回転数を検知する回転数検知手段１１ｂと、この検知手段１１ａ、１１ｂによって検知された内部温度および回転数が一定値以上の場合に、前記ファンガード７の開動作をロックするように前記ロック手段１２を制御する制御部１５を備えている。【選択図】        図１
2004294030.tif 000002
【特許請求の範囲】
【請求項１】
バーナによって生じた高温ガスを温風として放出する対流用送風機と、この対流用送風機を覆うように設けられ蝶番装置等によって開閉自在に枢着されたファンガードとを備えた温風暖房機において、前記ファンガードの開動作を阻止するロック手段と、機器の内部状態を検知する内部状態検知手段と、この内部状態検知手段によって検知された内部状態に基いて前記ロック手段を制御する制御手段とを備えたことを特徴とする温風暖房機の制御装置。
【請求項２】
前記内部状態検知手段は、機器の内部温度を検知する内部温度検知手段であって、この内部温度検知手段によって検知された機器の内部温度が所定温度以上である場合に、前記制御手段は、前記ファンガードの開動作を阻止するように前記ロック手段を制御することを特徴とする請求項１記載の温風暖房機の制御装置。
【請求項３】
前記内部状態検知手段は、前記対流用送風機の回転数を検知する回転数検知手段であって、この回転数検知手段によって検知された前記対流用送風機の回転数が所定回転数以上である場合に、前記制御手段は、前記ファンガードの開動作を阻止するように前記ロック手段を制御することを特徴とする請求項１記載の温風暖房機の制御装置。
【請求項４】
前記ロック手段の作動状態または非作動状態を表示する表示手段を備えたことを特徴とする請求項１〜４のいずれかに記載の温風暖房機の制御装置。
【発明の詳細な説明】
【０００１】
【発明の属する技術分野】
本発明は、石油ファンヒーター、及びガスファンヒーター等の温風暖房機の制御装置に関するものである。
【０００２】
【従来の技術】
従来の温風暖房器においては、使用者に対流用送風機を清掃してもらうため、摘みネジを指で緩めて外し、ファンガードを回動すれば、対流用送風機を容易に外部に取り出すことができるようになっている。また、万が一、燃焼中にファンガードが開かれた場合には、運転を即停止して、ファンモータの回転を停止するようになっている（例えば、特許文献１参照）。
【０００３】
【特許文献１】
特開２０００−３５６４１２号公報（第２−４頁、第４図）
【０００４】
【発明が解決しようとする課題】
しかしながら、上記従来の装置では、燃焼中にファンガードが開かれた場合や機器の運転スイッチが切られた後、すぐにファンガードが開かれた場合、バーナでの燃焼は停止しているものの、しばらくは機器の内部（燃焼筒など）が高温であり、万が一、使用者が清掃しようとして機器の内部に触れてしまった場合、使用者に熱いという不快感を与えてしまう惧れがあった。
【０００５】
同じように、燃焼中にファンガードが開かれた場合や機器の運転スイッチが切られた後、すぐにファンガードが開かれた場合、ファンモータへの通電は停止しているものの、しばらくは対流用送風機が惰性で回転しており、万が一、使用者が清掃しようとして回転している対流用送風機に触れてしまった場合、使用者にケガをさせてしまう惧れがあった。
【０００６】
また、使用者にファンガードを開いていただくときには、機器の内部温度が低く、かつ対流用送風機が停止している状態であることが望ましいが、機器の運転スイッチが切られた後、機器の内部が冷えるまでの時間や対流用送風機が停止するまでの時間は、燃焼中の燃焼状態、機器の使用環境等によって変化するため、使用者がファンガードを開いてもよいタイミングが分かりづらいという問題点があった。
【０００７】
本発明は、上記のような問題点を解決するもので、燃焼中または燃焼停止後、機器の内部が高温である場合には、使用者に機器の内部に触れさせないようにして、使用者に不快感を与えてしまうことのない温風暖房機の制御装置を提供することを目的としている。
【０００８】
また、燃焼中または燃焼停止後、対流用送風機が回転中である場合には、使用者に対流用送風機に触れさせないようにして、使用者にケガをさせてしまうことのない温風暖房機の制御装置を提供することを目的としている。
【０００９】
また、機器の内部が冷えていて使用者がファンガードを開いてもよいタイミングを容易に確認することができる使い勝手のよい温風暖房機の制御装置を提供することを目的としている。
【００１０】
【課題を解決するための手段】
本発明にかかわる温風暖房機の制御装置は、バーナによって生じた高温ガスを温風として放出する対流用送風機と、この対流用送風機を覆うように設けられ蝶番装置等によって開閉自在に枢着されたファンガードとを備えた温風暖房機において、前記ファンガードの開動作を阻止するロック手段と、機器の内部状態を検知する内部状態検知手段と、この内部状態検知手段によって検知された内部状態に基いて前記ロック手段を制御する制御手段とを備えたものである。
【００１１】
【発明の実施の形態】
実施の形態１．
以下、本発明の実施の形態１を図に基づいて説明する。
図１は本発明の実施の形態１を示す温風暖房機の制御装置のブロック図である。図１において、温風暖房機の本体１の内部には、気化した液体燃料の燃焼を行っているバーナ２、このバーナ２での燃焼によって生じた高温ガスを上方に導く燃焼筒３、この燃焼筒３から出た高温ガスと対流用ファン４により送られる外部空気と混合する風路５、前記対流用ファン４を回転駆動させるファンモータ６等が設けられている。前記本体１の背面には内部へのホコリや異物の進入を防ぐためのファンガード７が取り付けられており、前記ファンモータ６はネジ等によってファンガード７の内側に取り付けられ、対流用ファン４はナット等によってファンモータ６の回転軸に取り付けられている。
【００１２】
図２に示すように、ファンガード７は本体１の背面に設けられた空気取入口８の周縁部に蝶番装置９によって一辺が回動自在に取り付けられている。蝶番装置９を取り付けた側の一辺と相対する側のファンガード７の一辺は本体１の背面に設けられたネジ穴１ａ，１ｂに螺入する２個の摘みネジ１０ａ，１０ｂによって本体１の背面に固定される。前記２個の摘みネジ１０ａ，１０ｂは使用者が手で摘んで絞めたり外したりすることができるもので、図２のように、２個の摘みネジ１０ａ，１０ｂを外し、蝶番装置９を支点としてファンガード７を開けば、対流用ファン４を簡単に外部に取り出すことができる構成になっている。
【００１３】
機器の内部状態検知手段としての内部温度検知手段１１は、例えば、燃焼筒３の温度を検知する温度センサ（図示せず）等で構成され、機器の内部温度を検知する。ロック手段１２はソレノイド１３と上下動をするロッド１４とで構成され、ソレノイド１３への通電を制御することにより前記ファンガード７の開動作が阻止されるように構成している。予め記憶されたプログラムに従って温風暖房機全体の制御を行う制御部１５は操作部１６の運転スイッチや各種設定スイッチからの信号、前記温度センサ等からの信号に基いてバーナ２での燃焼、対流用ファン４を回転駆動するファンモータ６、ソレノイド１３、表示部１７等への通電をそれぞれ制御する。
【００１４】
次に、実施の形態１の動作について図３に示すフローチャートを用いて説明する。
図３において、使用者が本体１に設けられた操作部１６に配置された運転スイッチ（図示せず）を“ＯＮ”にすると（ステップＳ１）、このＯＮ信号を受けて、制御部１５はソレノイド１３を制御し、ファンガード７の開動作を阻止するようにロック手段１２のロッド１４を上方へ移動させて、ファンガード７の施錠を行う（ステップＳ２）。同時に表示部１７に設けられた専用の表示ランプ（図示せず）を点灯または点滅させることによって、ファンガード７がロック手段１２によって施錠状態となっていることを使用者に知らせる（ステップＳ３）。そして、バーナ２での燃焼を開始する（ステップＳ４）と同時に、ファンモータ６への通電を行い、対流用ファン４の回転数制御を開始する（ステップＳ５）。その後、運転スイッチが“ＯＦＦ”になるまで、ステップＳ２〜Ｓ４の動作を繰り返すことになる。
【００１５】
一方、使用者が操作部１６の運転スイッチ（図示せず）を“ＯＦＦ”にすると（ステップＳ１）、このＯＦＦ信号を受けて制御部１５はバーナ２での燃焼を停止し、消火処理を行う（ステップＳ６）。消火後、一定時間は燃焼中に発生した熱により高温になっている本体１内部を冷却するために、対流用ファン４はそのまま回転させて冷却を行う（ステップＳ７）。その後、本体１内部が充分に冷えると、ファンモータ６への通電を停止して対流用ファン４の回転を停止する（ステップＳ８）。
【００１６】
次に、、内部温度検知手段１１によって検知された内部温度が一定温度未満（例えば５０℃未満）であるかどうかを比較し（ステップＳ９）、一定温度未満となるまで、この比較動作を繰り返す。ステップＳ９で、内部温度が一定温度未満となると、制御部１５はソレノイド１３を制御し、ファンガード７の開動作を行えるようにロック手段１２のロッド１４を下方へ移動させて、ファンガード７の解錠を行う（ステップＳ１０）。同時に表示部１７に設けられた専用の表示ランプ（図示せず）を消灯させることによって、ファンガード７が解錠状態となっていることを使用者に知らせる（ステップＳ１１）。
【００１７】
ここで、実施の形態１では、機器の内部温度を検知する内部温度検知手段１１は燃焼筒３の温度を検知するようにしているが、温風暖房器には、バーナ２に気化した燃料を送るために、燃料を気化させるための気化器（図示せず）が備えられており、この気化器温度を検知してもよく、また、風路５の温度を検知するようにしてもよい。
【００１８】
以上のように、本発明の実施の形態１によれば、燃焼中または燃焼停止後、機器の内部が高温であるときには、ファンガード７を開くことができず、使用者が高温となっている機器の内部に触れてしまうという恐れがなくなる。また、ロック手段１２が施錠状態であるか解錠状態であるかを表示部１７で確認することができ、使用者がファンガード７を開くことができるタイミングが分かりやすくなる。
【００１９】
実施の形態２．
次に、本発明の実施の形態２について説明する。
図４は本発明の実施の形態２を示す温風暖房機のブロック図であり、図５はその制御動作を示すフローチャートである。
図４において、１６は内部状態検知手段としての対流用ファン４の回転数を検知する回転数検知手段である。なお、それ以外は実施の形態１と同一構成であるから、説明は省略する。
【００２０】
図５において、ステップＳ１〜Ｓ５までの動作は、図３で上述した実施の形態１の動作と同一なので、説明は省略し、相違する部分についてのみ説明する。
【００２１】
使用者が操作部１６の運転スイッチ（図示せず）を“ＯＦＦ”にすると（ステップＳ１）、このＯＦＦ信号を受けて、制御部１５はバーナ２での燃焼を停止し、消火動作を行う（ステップＳ６）。その後、ステップＳ７において、本体１内部が充分に冷えると、ステップＳ８においてファンモータ６への通電を停止して対流用ファン４の回転を停止し、次に、対流用ファン４の回転数を検知する回転数検知手段１１ｂによって検知された回転数が一定回転数未満（例えば１０ｒｐｍ未満）であるかどうかを比較し（ステップＳ９ａ）、一定回転数未満となるまでステップＳ９ａで比較動作を繰り返す。対流用ファン４の回転数が一定回転数未満となると、制御部１５はソレノイド１３を制御し、ファンガード７の開動作を行えるようにロック手段１２のロッド１４を下方へ移動させて、ファンガード７の解錠を行う（ステップＳ１０）。同時に表示部１７に設けられた専用の表示ランプ（図示せず）を消灯させることによって、ファンガード７が解錠状態となっていることを使用者に知らせる（ステップＳ１１）。
【００２２】
以上のように、この実施の形態２によれば、燃焼中または燃焼停止後、対流用ファン４が所定回転数以上で回転中であるときには、ファンガード７を開くことができず、使用者が回転中の対流用ファン４に触れてケガをしてしまうというおそれがなくなる。また、ロック手段１２が施錠状態であるか解錠状態であるかを表示部１７で確認することができ、使用者がファンガード７を開くことができるタイミングが分かりやすくなる。
【００２３】
【発明の効果】
以上のようなこの発明によれば、燃焼中または機器の運転スイッチが切られた直後、機器の内部が高温であったり、前記対流用ファンが一定回転数以上で回転中であったりするときには、ロック手段により前記ファンガードの開動作が阻止されているので、使用者が高温となっている機器の内部に触れて火傷をしてしまったり、回転中の対流用ファンに触れてケガをしまったりするおそれがなくなる。
【図面の簡単な説明】
【図１】本発明の実施の形態１を示す温風暖房機のブロック図である。
【図２】本発明の実施の形態１を示す温風暖房機のファンガードを開いた状態の背面図である。
【図３】本発明の実施の形態１の温風暖房機の動作を示すフローチャートである。
【図４】本発明の実施の形態２の温風暖房機のブロック図である。
【図５】本発明の実施の形態２の温風暖房機の動作を示すフローチャートである。
【符号の説明】
１  温風暖房機の本体
２  バーナ
４  対流用ファン
６  ファンモータ
７  ファンガード
９  蝶番装置
１０ａ  摘みネジ
１０ｂ  摘みネジ
１１ａ  内部温度検知手段
１１ｂ  回転数検知手段
１２  ロック手段
１３  ソレノイド
１４  ロッド
１５  制御部
１６  操作部
１７  表示部
【図１】
2004294030.tif 000003
【図２】
2004294030.tif 000004
【図３】
2004294030.tif 000005
【図４】
2004294030.tif 000006
【図５】
2004294030.tif 000007